(57)【特許請求の範囲】
【請求項１】
４つのダイオードを有し、交流電源の交流電圧を整流するダイオードブリッジ回路と、
前記ダイオードブリッジ回路により整流された電圧を平滑する平滑回路と、
前記平滑回路が接続された一次側と、二次側を絶縁するトランスと、前記トランスの一次側に接続されており、前記平滑回路により平滑された電圧をスイッチングするスイッチング手段と、を有する変換回路と、
を備える電源装置であって、
アノード端子が前記ダイオードブリッジ回路の２つの出力端のうち高い電圧を出力する第一の出力端に接続され、前記４つのダイオードよりも逆回復時間が短い第一のダイオードと、
前記第一のダイオードと前記平滑回路との間に接続されており、チョークコイルとコンデンサとを有し、前記スイッチング手段の動作により発生するノイズを抑制するためのフィルタ回路と、
を備え、
前記第一のダイオードは、カソード端子が前記フィルタ回路の前記コンデンサに接続され、
前記４つのダイオードは、カソード端子が前記第一の出力端に接続された第二のダイオードと、カソード端子が前記第一の出力端に接続された第三のダイオードと、第四のダイオードと、第五のダイオードと、を有し、
前記第一のダイオードは、前記ダイオードブリッジ回路の前記第二のダイオード及び前記第三のダイオードのリカバリー電流を制限することを特徴とする電源装置。
【請求項２】
前記第一のダイオードは、ファストリカバリダイオードであることを特徴とする請求項１に記載の電源装置。
【請求項３】
前記４つのダイオードは、前記第一のダイオードよりも順方向電圧が低いダイオードであることを特徴とする請求項１又は２に記載の電源装置。
【請求項４】
前記４つのダイオードは、ショットキーバリアダイオードであることを特徴とする請求項３に記載の電源装置。
【請求項５】
前記４つのダイオードは、シリコンダイオードであることを特徴とする請求項１又は２に記載の電源装置。
【請求項６】
前記変換回路は、前記トランスの二次側に誘起された交流電圧を整流する二次側整流手段と、前記二次側整流手段により整流された電圧を平滑する二次側平滑手段と、を備えることを特徴とする請求項１乃至５のいずれか１項に記載の電源装置。
【請求項７】
記録材に画像形成を行う画像形成装置であって、
請求項１乃至６のいずれか１項に記載の電源装置を備えることを特徴とする画像形成装置。
【発明の詳細な説明】
【技術分野】
【０００１】
本発明は、整流平滑回路、電源装置及び画像形成装置に関し、特に、商用交流電圧から直流電圧を生成する電源装置に関し、入力される交流電圧を整流する整流手段と、整流手段に起因して発生するノイズの抑制に関する。
【背景技術】
【０００２】
従来、商用交流電源の交流電圧が入力される電源装置では、ＡＣ／ＤＣコンバータ等のスイッチングノイズやダイオードブリッジの逆回復に起因するノイズを抑制する手段として、次のようなフィルタが知られている。即ち、コモンモードチョークコイルとＸキャパシタ及びＹキャパシタとからなるノイズフィルタが知られている。例えば特許文献１では、商用交流電源と整流手段であるダイオードブリッジとの間に第一のフィルタ回路を、ダイオードブリッジと絶縁トランスとの間に、第二のフィルタ回路を、それぞれ有する構成のラインフィルタが開示されている。
【先行技術文献】
【特許文献】
【０００３】
【特許文献１】特公平０５−００２００８号公報
【発明の概要】
【発明が解決しようとする課題】
【０００４】
商用交流電源の交流電圧が入力される電源装置のノイズには、スイッチング手段が動作した際に発生するノイズと、整流手段であるダイオードブリッジの逆回復に起因して発生するノイズとがある。後述する図６に示した従来の回路の構成では、ダイオードブリッジ１１に起因して発生するノイズは、第一のフィルタ回路２３によって抑制される。しかし、電源装置を用いる電子機器の負荷電流が大きくなると、第一のフィルタ回路２３を構成するコモンモードチョークコイル２１の許容電流値を大きくする必要があり、コイル線形が大きくなる。その結果、コモンモードチョークコイル２１のサイズアップやコストアップという課題が生じる。仮に、コモンモードチョークコイル２１のコイル線形を大きくしない場合には、ダイオードブリッジ１１に起因して発生するノイズを除去するために必要なインダクタンスを得ることができない。
【０００５】
また、電源装置を有する電子機器の負荷電流の大小に関わらず、使用するダイオードブリッジによっては、ダイオードブリッジ１１の逆回復に起因するノイズが発生しやすい傾向にある。例えば、一般的なシリコンダイオードで構成されたダイオードブリッジでは、逆回復時間ｔｒｒが長い場合がある。逆回復時間ｔｒｒが長いとリカバリー電流Ｉｄも大きくなり、逆回復期間でのノイズも大きくなる。このような場合、従来の第一のフィルタ回路２３を構成するコモンモードチョークコイル２１のインダクタンス値やＸキャパシタ２２の容量値を大きくして、よりフィルタリング効果が大きくなるようにする必要がある。これは、結果的に電源装置全体のサイズアップやコストアップに繋がる可能性がある。
【０００６】
本発明は、このような状況のもとでなされたもので、簡単かつ安価な構成で、電源装置で発生するノイズを抑制することを目的とする。
【課題を解決するための手段】
【０００７】
上述した課題を解決するために、本発明は、以下の構成を備える。
【０００８】
（１）４つのダイオードを有し、交流電源の交流電圧を整流するダイオードブリッジ回路と、前記ダイオードブリッジ回路により整流された電圧を平滑する平滑回路と、前記平滑回路が接続された一次側と、二次側を絶縁するトランスと、前記トランスの一次側に接続されており、前記平滑回路により平滑された電圧をスイッチングするスイッチング手段と、を有する変換回路と、を備える電源装置であって、アノード端子が前記ダイオードブリッジ回路の２つの出力端のうち高い電圧を出力する第一の出力端に接続され、前記４つのダイオードよりも逆回復時間が短い第一のダイオードと、前記第一のダイオードと前記平滑回路との間に接続されており、チョークコイルとコンデンサとを有し、前記スイッチング手段の動作により発生するノイズを抑制するためのフィルタ回路と、を備え、前記第一のダイオードは、カソード端子が前記フィルタ回路の前記コンデンサに接続され、前記４つのダイオードは、カソード端子が前記第一の出力端に接続された第二のダイオードと、カソード端子が前記第一の出力端に接続された第三のダイオードと、第四のダイオードと、第五のダイオードと、を有し、前記第一のダイオードは、前記ダイオードブリッジ回路の前記第二のダイオード及び前記第三のダイオードのリカバリー電流を制限することを特徴とする電源装置。
（２）記録材に画像形成を行う画像形成装置であって、前記（１）に記載の電源装置を備えることを特徴とする画像形成装置。
【発明の効果】
【００１３】
本発明によれば、簡単かつ安価な構成で、電源装置で発生するノイズを抑制することができる。
【図面の簡単な説明】
【００１４】
【図１】実施の形態の一般的な全波整流回路を示す図
【図２】実施の形態のダイオードブリッジに起因して発生するノイズを説明する図
【図３】実施例１の電源装置の回路を示す図
【図４】実施例２の電源装置の回路を示す図
【図５】実施例３の電源装置の回路を示す図、実施例４の画像形成装置を示す図
【図６】従来例の電源装置の回路を示す図
【発明を実施するための形態】
【００１５】
本発明の具体的な構成について、以下の実施例により図面を参照しながら説明する。なお、以下に示す実施例は一例であって、この発明の技術的範囲をそれらのみに限定する趣旨のものではない。
【００１６】
［従来の電源装置］
後述する実施例との比較のために、図６に示す従来の電源装置の構成を説明する。商用交流電源１０の商用交流電圧（以下、単に交流電圧ともいう）Ｖａｃは、破線で示す第一のフィルタ回路（以下、単にフィルタ回路とする）２３を介して整流手段であるダイオードブリッジ１１に入力され、ダイオードブリッジ１１により整流される。フィルタ回路２３は、コモンモードチョークコイル２１、アクロス・ザ・ライン・コンデンサ（以下、Ｘキャパシタとする）２２、ライン・バイパス・コンデンサ（以下、Ｙキャパシタとする）２４、２５から構成される。フィルタ回路２３は、後述するダイオードブリッジ１１の逆回復に起因して発生するノイズを抑制する。また、フィルタ回路２３とダイオードブリッジ１１の間には抵抗２６が接続されている。
【００１７】
ダイオードブリッジ１１は、４つの整流素子である４つのダイオード１１ａ（第二の整流素子）、１１ｂ（第四の整流素子）、１１ｃ（第三の整流素子）、１１ｄ（第五の整流素子）から構成される。より詳細には、ダイオードブリッジ１１の一方の入力端には、ダイオード１１ａのアノード端子とダイオード１１ｄのカソード端子が接続され、他方の入力端には、ダイオード１１ｃのアノード端子とダイオード１１ｂのカソード端子が接続される。また、ダイオードブリッジ１１の一方の出力端（第一の出力端）には、ダイオード１１ａとダイオード１１ｃのそれぞれのカソード端子が接続されている。また、ダイオードブリッジ１１の他方の出力端（第二の出力端）には、ダイオード１１ｂとダイオード１１ｄのそれぞれのアノード端子が接続されている。
【００１８】
ダイオードブリッジ１１により整流された電圧は、一次平滑コンデンサ１０１により平滑される。また、ダイオードブリッジ１１と一次平滑コンデンサ１０１の間には、破線で示す第二のフィルタ回路（以下、単にフィルタ回路とする）３３が接続されている。フィルタ回路３３は、Ｘキャパシタ３２、コモンモードチョークコイル３１、Ｙキャパシタ３４、３５から構成される。
【００１９】
一次平滑コンデンサ１０１により平滑された電圧は、後段に接続された変換手段であるＡＣ／ＤＣコンバータに入力される。ＡＣ／ＤＣコンバータは、一次側と二次側を絶縁するトランス１１１を有し、トランス１１１の一次巻線の一端にはスイッチング手段であるスイッチングＦＥＴ１１２が接続される。スイッチングＦＥＴ１１２は、不図示の制御回路によりゲート端子に入力された制御信号に応じてスイッチング動作を行い、トランス１１１の二次側に交流電圧が誘起される。トランス１１１の二次側に誘起された交流電圧は、二次側整流手段である二次側整流用ダイオード１１３により整流される。そして、二次側平滑手段である二次側平滑用コンデンサ１１４により平滑され、直流電圧Ｖｏとして出力される。
【００２０】
＜ダイオードブリッジに起因して発生するノイズ＞
図１、図２を用いてダイオードブリッジ１１に起因して発生するノイズについて説明する。図１は、一般的な商用交流電源１０を入力とするスイッチング電源装置の構成を示す図であり、上述した図６で説明した構成と同じ構成には同じ符号を付し、説明を省略する。商用交流電源１０から入力された交流電圧Ｖａｃは、ダイオードブリッジ１１によって整流され、一次平滑コンデンサ１０１によって平滑化され、概略一定の電圧Ｖｈと電圧Ｖｌが生成される。ここで、ダイオードブリッジ１１で使用する部品形状は特に限定されるものではない。例えば、４つのダイオードが、１つにパッケージ化されたブリッジダイオードや、１素子のアキシャル部品で構成された回路、２素子入りでパッケージ化されたリード部品で構成した回路等、全波整流を行うダイオードブリッジを構成するものであればよい。ここで、一次平滑コンデンサ１０１にかかる電圧を一次平滑コンデンサ１０１の両端電圧Ｖｃとすると、両端電圧Ｖｃは交流電圧Ｖａｃを用いて以下の式で近似できる。
Ｖｃ＝Ｖｈ−Ｖｌ＝Ｖａｃｒｍｓ×√２＝Ｖａｃｐｋ・・・（１）
Ｖａｃｒｍｓ：商用交流電圧の実効値
Ｖａｃｐｋ  ：商用交流電圧の最大値
【００２１】
図１において、式（１）で得られる両端電圧Ｖｃは、トランス１１１と、スイッチングＦＥＴ１１２、二次側整流用ダイオード１１３、二次側平滑用コンデンサ１１４からなる、ＡＣ／ＤＣコンバータの入力電圧となる。ＡＣ／ＤＣコンバータによって電力が消費されると、ダイオードブリッジ１１の各部波形は図２に示すようになる。
【００２２】
図２は、ダイオードブリッジ１１に起因して発生するノイズを示す図である。図２（ａ）は、一次平滑コンデンサ１０１の両端電圧Ｖｃ（Ｖ）（実線）とダイオードブリッジ１１により全波整流された電圧（Ｖ）（全波整流電圧）（破線）を示す図である。図２（ｂ）は、ダイオードブリッジ１１のダイオード１１ｃのアノード端子を基準とした両端電圧（Ｖ）であり、図２（ｃ）は、ダイオード１１ｃに流れる電流（Ａ）を示す図である。図２（ｄ）は、ダイオードブリッジ１１のダイオード１１ａのアノード端子を基準とした両端電圧（Ｖ）であり、図２（ｅ）は、ダイオード１１ａに流れる電流（Ａ）を示す図である。横軸はいずれも時間を示す。
【００２３】
ダイオードブリッジ１１の動作波形には、入力される商用交流電源１０の交流電圧Ｖａｃの周期に同期して、ダイオード１１ａ、ダイオード１１ｂが導通する第１の期間と、ダイオード１１ｃ、ダイオード１１ｄが導通する第２の期間とがある。ここで、第１の期間は、ダイオード１１ａ、ダイオード１１ｂが導通する期間で、図２（ａ）の期間ｔ０〜ｔ４、ｔ８〜ｔ１２を指す。また、第２の期間は、ダイオード１１ｃ、ダイオード１１ｄが導通する期間で、図２（ａ）の期間ｔ４〜ｔ８、ｔ１２〜ｔ１６を指す。ダイオードブリッジ１１の後段のＡＣ／ＤＣコンバータによって電力が消費されると、第１の期間では、図２（ｅ）の期間ｔ１〜ｔ２（ｔ９〜ｔ１０）に示すように、ダイオード１１ａに電流が流れる。図２（ｅ）の期間ｔ１〜ｔ２（ｔ９〜ｔ１０）では、商用交流電源１０の交流電圧Ｖａｃが、一次平滑コンデンサ１０１の両端電圧Ｖｃよりも、ダイオード１１ａの順方向電圧Ｖｆだけ高くなる。このため、図２（ａ）の期間ｔ１〜ｔ２（ｔ９〜ｔ１０）では、商用交流電源１０から一次平滑コンデンサ１０１へダイオード１１ａとダイオード１１ｂを介して電流が流れる（図２（ｅ））。その後、一次平滑コンデンサ１０１の両端電圧Ｖｃが商用交流電源１０の交流電圧Ｖａｃより高くなると（時刻ｔ２、ｔ１０）、ダイオード１１ａ、ダイオード１１ｂを経由した電流は流れなくなる。
【００２４】
ここで、一般的なダイオードには、順方向に電圧が印加される期間から逆方向に電圧が印加される期間へ移行する際に、蓄積されたキャリアによって逆方向に電流を流すことが可能な逆回復期間が存在する。ダイオードの逆回復期間をダイオードの逆回復時間ｔｒｒで表す。図２（ｅ）に示すように、ダイオード１１ａ、１１ｂの逆回復期間は、期間ｔ２〜ｔ３（ｔ１０〜ｔ１１）である。逆回復期間ｔ２〜ｔ３では、ダイオード１１ａに流れる逆方向の電流（以下、リカバリー電流という）によって、ダイオード１１ａの両端電圧が図２（ｄ）の期間ｔ２〜ｔ３に示すような電圧になる。図２（ｄ）に示す期間ｔ２〜ｔ３での電圧変化が雑音端子電圧であり、ダイオードブリッジ１１に起因して発生するノイズである。
【００２５】
このように、商用交流電源１０の交流電圧Ｖａｃを入力とするダイオードブリッジ１１に起因して、次のようなノイズが発生する。第１の期間（ｔ０〜ｔ４等）では、逆回復期間（ｔ２〜ｔ３、ｔ１０〜ｔ１１）のノイズがダイオード１１ａで発生する。また、第２の期間（ｔ４〜ｔ８等）では、逆回復期間（ｔ６〜ｔ７、ｔ１４〜ｔ１５）（図２（ｃ））のノイズがダイオード１１ｃで発生する（図２（ｂ））。即ち、入力される商用交流電源１０の交流電圧Ｖａｃの周期に同期して、ダイオードブリッジ１１に起因するノイズレベルである雑音端子電圧が交流電圧Ｖａｃに重畳されることになる。その結果、雑音端子電圧による影響が大きくなる。ここで、第２の期間（ｔ４〜ｔ８等）における電源装置の動作は、第１の期間（ｔ０〜ｔ４等）と同様であるため、説明を省略する。
【００２６】
なお、ダイオードブリッジ１１に起因して発生するノイズは、ダイオードブリッジ１１のダイオード１１ａとダイオード１１ｃの逆回復期間に、一次平滑コンデンサ１０１から交流電圧Ｖａｃに向けて、リカバリー電流Ｉｒが流れることで発生する。即ち、ダイオード１１ａでは、図２（ｅ）に示す逆回復期間ｔ２〜ｔ３（ｔ１０〜ｔ１１）でリカバリー電流Ｉｒが流れ、ダイオード１１ｃでは、図２（ｃ）に示す逆回復期間ｔ６〜ｔ７（ｔ１４〜ｔ１５）でリカバリー電流Ｉｒが流れる。ダイオード１１ａとダイオード１１ｃの場合、カソード端子側の電圧が一次平滑コンデンサ１０１によって保持されている。このため、順方向の電流が流れ終わると交流電圧Ｖａｃと両端電圧Ｖｃの電位差がそれぞれのダイオードの両端にかかり、リカバリー電流Ｉｒが流れる。
【００２７】
一方、ダイオード１１ｂとダイオード１１ｄでは、逆回復期間であってもリカバリー電流Ｉｒが小さく、ノイズは発生しない。これは、一次平滑コンデンサ１０１の負極端子電圧が、商用交流電源１０の負電圧を基準として変動することにより、順方向の電流が流れ終わってもダイオード１１ａとダイオード１１ｃほどの電位差が発生しないためである。また、逆回復時間ｔｒｒが比較的短いファストリカバリタイプのダイオードで構成されたダイオードブリッジであれば、上述したダイオードブリッジに起因するノイズは発生しなくなる。しかし、ファストリカバリタイプのダイオードで構成されたダイオードブリッジでは、ダイオードの順方向電圧が大きくなるため、ダイオードブリッジの発熱が課題となる。
【実施例１】
【００２８】
［電源装置の構成］
実施例１の電源装置の構成を図３に示す。本実施例の整流平滑回路は、全波整流を行うダイオードブリッジ１１と、全波整流された電圧を平滑する一次平滑コンデンサ１０１と、を備えている。そして、ダイオードブリッジ１１の２つの出力端のうち、より高い電圧を出力する正出力端と一次平滑コンデンサ１０１の正極端子との間に、第一の整流素子であるダイオード１２を接続している。ここで、ダイオードブリッジ１１のダイオード１１ａは、アノード端子が商用交流電源１０に、カソード端子が一次平滑コンデンサ１０１の正極端子に接続されている。また、ダイオードブリッジ１１のダイオード１１ｃも、アノード端子が商用交流電源１０に、カソード端子が一次平滑コンデンサ１０１の正極端子に接続されている。ダイオード１２は、一般的なシリコンダイオードに比較すると、逆回復時間ｔｒｒが早いファストリカバリタイプのダイオード（以下、ファストリカバリダイオードという）であることを特徴とする。なお、図１等で説明した構成と同じ構成には、同じ符号を付し、説明を省略する。
【００２９】
ダイオードブリッジ１１に起因するノイズは、ダイオードブリッジ１１のダイオード１１ａとダイオード１１ｃの逆回復期間に、一次平滑コンデンサ１０１から商用交流電源１０にリカバリー電流Ｉｒが流れることで発生する。一般的に、商用交流電源の交流電圧を整流するダイオードブリッジは、１ｋＨｚ（キロヘルツ）以下の周波数での使用に適したシリコンダイオードで構成される。このようなダイオードブリッジは、逆回復時間ｔｒｒが数十μｓｅｃ（マイクロ秒）〜数百μｓｅｃと比較的長くなるため、上述したダイオードブリッジに起因するノイズが発生しやすい。一方、ファストリカバリタイプのダイオード１２は、逆回復時間ｔｒｒを改善したシリコンダイオードであるため、逆回復時間ｔｒｒは１００ｎｓ（ナノ秒）以下と短い。そのため、ダイオード１２は、ダイオードブリッジ１１のダイオード１１ａ及びダイオード１１ｃの逆回復時間ｔｒｒよりも比較的早い時間で、蓄積されたキャリアによって電流を流すことが可能な逆回復期間が終了し、逆方向に電圧が印加される期間へ移行する。
【００３０】
このように本実施例では、ダイオードブリッジ１１の正出力端と、一次平滑コンデンサ１０１の正極端子との間に、ファストリカバリダイオードであるダイオード１２を配置する構成とする。これにより、ダイオードブリッジ１１のダイオード１１ａ及びダイオード１１ｃへのリカバリー電流Ｉｒが制限され、ダイオードブリッジ１１に起因して発生するノイズを抑制することができる。
【００３１】
即ち、本施例の構成によれば、電源装置を用いる電子機器の負荷電流が大きい場合でも、フィルタ回路のフィルタリング効果を大きくすることなくダイオードブリッジに起因するノイズを抑制できる。そのため、電源装置全体のサイズアップ及びコストアップを抑えてノイズを抑制することができる。なお、本実施例では、ダイオードブリッジ１１を構成するダイオード１１ａ〜１１ｄは、ショットキーバリアダイオードや一般的なシリコンダイオードで構成される。即ち、ダイオードブリッジ１１を構成するダイオード１１ａ〜１１ｄは、ファストリカバリダイオードであるダイオード１２よりも逆回復時間が長く、かつ順方向電圧が低いダイオードで構成される。ここで、ショットキーバリアダイオードは、順方向電圧が低く、発熱特性に優れたダイオードである。
【００３２】
以上、本実施例によれば、簡単かつ安価な構成で、電源装置で発生するノイズを抑制することができる。
【実施例２】
【００３３】
［電源装置］
実施例２の電源装置の構成を図４に示す。なお、図３で説明した構成と同じ構成には同じ符号を付し、説明を省略する。本実施例では、ダイオードブリッジ１１のダイオード１１ａとダイオード１１ｃを、ファストリカバリダイオードで構成している。ダイオードブリッジ１１の４つのダイオードのうち、一次平滑コンデンサ１０１の正極端子にカソード端子が接続されているダイオードであるダイオード１１ａ、１１ｃのみを、ファストリカバリダイオードで構成する。これにより、本実施例でも、実施例１と同様の効果を得ることができる。
【００３４】
なお、本実施例では、ダイオードブリッジ１１のダイオード１１ｂとダイオード１１ｄは、一般的なシリコンダイオードや、順方向電圧が低く、発熱特性に優れたショットキーバリアダイオードを用いる。また、ダイオードブリッジ１１を構成するダイオード１１ａ〜１１ｄのうち、一次平滑コンデンサ１０１の負極端子にアノード端子が接続されるダイオード１１ｂ、１１ｄは、例えば、次のように構成されてもよい。即ち、ダイオード１１ｂ、１１ｄは、ダイオード１１ａ、１１ｃよりも逆回復時間が長く、かつ順方向電圧が低いダイオードで構成されてもよい。これにより、ダイオードブリッジ１１のダイオード１１ａとダイオード１１ｃの逆回復に起因して発生するノイズを抑制しつつ、４つのダイオード１１ａ〜１１ｄを全てファストリカバリダイオードで構成した場合に比べて発熱を抑制することができる。
【００３５】
即ち、本実施例の構成によれば、フィルタ回路のフィルタリング効果を大きくすることなく、かつ部品点数を増やすことなく、ダイオードブリッジに起因して発生するノイズを抑制することができる。このため、電源装置全体のサイズアップやコストアップを押えてノイズを抑制することができる。また、本実施例の構成によれば、４つのダイオードを全てファストリカバリダイオードで構成したダイオードブリッジに比べて、ダイオードブリッジに起因して発生するノイズの抑制効果を維持したまま、発熱を抑制することができる。
【００３６】
以上、本実施例によれば、簡単かつ安価な構成で、電源装置で発生するノイズを抑制することができる。
【実施例３】
【００３７】
［電源装置］
実施例３の電源装置の構成を図５（ａ）に示す。図５（ａ）は、実施例１の構成に、商用交流電源１０とダイオードブリッジ１１との間にフィルタ回路２３を、ファストリカバリダイオードであるダイオード１２と一次平滑コンデンサ１０１の間にフィルタ回路３３を追加している。ここで、フィルタ回路２３は、コモンモードチョークコイル２１とＸキャパシタ２２から構成される。フィルタ回路３３は、コモンモードチョークコイル３１とＸキャパシタ３２から構成される。なお、図３で説明した構成と同じ構成には同じ符号を付し、説明を省略する。
【００３８】
フィルタ回路２３は、一次平滑コンデンサ１０１の両端電圧Ｖｃが商用交流電源１０の交流電圧Ｖａｃよりも低く、ダイオードブリッジ１１に順方向電流が流れている期間に発生するノイズを抑制している。具体的には、図２（ａ）に示す期間ｔ１〜ｔ２及び期間ｔ９〜ｔ１０にＡＣ／ＤＣコンバータのスイッチングＦＥＴ１１２が動作した際に、逆回復期間ｔ２〜ｔ３、ｔ１０〜ｔ１１に発生するノイズを抑制している。また、フィルタ回路３３は、ダイオードブリッジ１１に電流が流れているか否かに関わらず、ＡＣ／ＤＣコンバータのスイッチングＦＥＴ１１２が動作した際に発生するノイズ（スイッチングノイズ）を抑制している。
【００３９】
なお、本実施例の構成は、図５（ａ）の構成に限定されるものではない。例えば、図５（ａ）の回路構成において、フィルタ回路３３が接続されていてフィルタ回路２３が接続されていない構成や、フィルタ回路２３が接続されていてフィルタ回路３３が接続されていない構成でもよい。また、図５（ａ）の回路構成において、コモンモードチョークコイル２１、３１それぞれの前段や後段にＹキャパシタを設けたフィルタ構成としてもよい。これらの構成でも、本実施例と同様の効果を得ることができる。また、実施例２の構成（ダイオード１２をなくして、１１ａ、１１ｃをファストリカバリタイプにする構成）に、フィルタ回路２３、３３を加えた構成としてもよく、この場合でも同様の効果を奏することができる。
【００４０】
以上のように、本実施例の構成によれば、ダイオードブリッジの逆回復に起因して発生するノイズを抑制しつつ、ＡＣ／ＤＣコンバータのスイッチングＦＥＴ１１２が動作した際のノイズも抑制することができる。このため、電源装置を用いる電子機器の負荷電流が大きい場合でも、電源装置全体のサイズアップを抑えてノイズを抑制することができる。
【００４１】
以上、本実施例によれば、簡単かつ安価な構成で、電源装置で発生するノイズを抑制することができる。
【実施例４】
【００４２】
実施例１〜３で説明した電源装置は、例えば画像形成装置の低圧電源、即ちコントローラ（制御部）やモータ等の駆動部へ電力を供給する電源として適用可能である。以下に、実施例１〜３の電源装置が適用される画像形成装置の構成を説明する。
【００４３】
［画像形成装置の構成］
画像形成装置の一例として、レーザビームプリンタを例にあげて説明する。図５（ｂ）に電子写真方式のプリンタの一例であるレーザビームプリンタの概略構成を示す。レーザビームプリンタ３００は、静電潜像が形成される像担持体としての感光ドラム３１１、感光ドラム３１１を一様に帯電する帯電部３１７（帯電手段）、感光ドラム３１１に形成された静電潜像をトナーで現像する現像部３１２（現像手段）を備えている。そして、感光ドラム３１１に現像されたトナー像をカセット３１６から供給された記録材としてのシート（不図示）に転写部３１８（転写手段）によって転写して、シートに転写したトナー像を定着器３１４で定着してトレイ３１５に排出する。この感光ドラム３１１、帯電部３１７、現像部３１２、転写部３１８が画像形成部である。また、レーザビームプリンタ３００は、実施例１〜３で説明した電源装置４００を備えている。尚、実施例１〜３の電源装置４００を適用可能な画像形成装置は、図５（ｂ）に例示したものに限定されず、例えば複数の画像形成部を備える画像形成装置であってもよい。更に、感光ドラム３１１上のトナー像を中間転写ベルトに転写する一次転写部と、中間転写ベルト上のトナー像をシートに転写する二次転写部を備える画像形成装置であってもよい。
【００４４】
レーザビームプリンタ３００は、画像形成部による画像形成動作や、シートの搬送動作を制御するコントローラ３２０を備えており、実施例１〜３に記載の電源装置４００は、例えばコントローラ３２０に電力を供給する。また、実施例１〜３に記載の電源装置４００は、感光ドラム３１１を回転するため又はシートを搬送する各種ローラ等を駆動するためのモータ等の駆動部に電力を供給する。電源装置４００が実施例１、２で説明した構成である場合、電源装置４００においてダイオードブリッジ１１に起因して発生するノイズを抑制できる。更に、電源装置４００が実施例３で説明した構成である場合には、ダイオードブリッジ１１に起因して発生するノイズを抑制しつつ、電源装置４００の負荷（モータ等）が大きくなった場合のスイッチングノイズも抑制できる。
【００４５】
以上、本実施例の画像形成装置によれば、簡単かつ安価な構成で、電源装置で発生するノイズを抑制することができる。
【符号の説明】
【００４６】
１１      ダイオードブリッジ
１１ａ、１１ｂ、１１ｃ、１１ｄ    ダイオード
１２      ダイオード
１０１    一次平滑コンデンサ
【図１】
0006444090.tif 000002
【図２】
0006444090.tif 000003
【図３】
0006444090.tif 000004
【図４】
0006444090.tif 000005
【図５】
0006444090.tif 000006
【図６】
0006444090.tif 000007